(57)【要約】【課題】非接触ＩＣに記憶された機密データの機密確保を確実に行う。【解決手段】記憶装置として、蓄電装置５４から電力供給を受けるＲＡＭ４８と、不揮発性のフラッシュメモリ４６を備える。このフラッシュメモリに保持された少なくとも一部のデータは、例えば電力抽出回路３０から持続して電力の取得が行われるようになった段階でＲＡＭに移動される。そして、例えばこの電力の持続的な取得が途絶えた段階でＲＴＣ５２は設定された時間をカウントし、その後にＲＡＭ４８にデータ消去信号を送る。これにより機密にすべきデータを設定時間後に確実に消去することができる。【選択図】図１
2006190210.tif 000002
【特許請求の範囲】
【請求項１】
非接触方式により外部装置とデータの送受信を行う機能を備えた非接触ＩＣであって、
データの書き込み及び消去が可能に構成された短期記憶装置と、
短期記憶装置よりも長い時間に渡ってデータを保持可能であり、少なくともデータの消去が可能に構成された長期記憶装置と、
長期記憶装置に保持された少なくとも一部のデータを短期記憶装置に移動するデータ移動手段と、
経過時間を測定する計時手段と、
計時手段の測定結果に基づいて、ある時点から設定時間が経過した後に、データ移動手段により移動されたデータの少なくとも一部を消去する消去手段と、
を備える、ことを特徴とする非接触ＩＣ。
【請求項２】
請求項１に記載の非接触ＩＣであって、
非接触方式により取得した電力に基づいて充電され、充電された電力を使い果たすことで短期記憶装置に対する電力供給を停止する電源を備え、
短期記憶装置は、この電源から供給される電力に基づいてデータを記憶し、電力供給が停止するとデータを消失する、ことを特徴とする非接触ＩＣ。
【請求項３】
請求項２に記載の非接触ＩＣであって、
データ移動手段によるデータの移動は、非接触方式により持続的に電力の取得がなされている場合に実施される、ことを特徴とする非接触ＩＣ。
【請求項４】
請求項２に記載の非接触ＩＣであって、
消去手段における前記ある時点は、非接触方式により持続的になされる電力の取得が停止された時点である、ことを特徴とする非接触ＩＣ。
【請求項５】
請求項２に記載の非接触ＩＣであって、
前記電源の電力供給可能時間よりも長い電力供給可能時間をもち、長期記憶装置に電力供給を行う第２電源を備え、
短期記憶装置は、第２電源から供給される電力に基づいてデータを記憶し、電力供給が停止するとデータを消失する装置であり、これにより、短期記憶装置よりも長い時間に渡ってデータを保持可能とする、ことを特徴とする非接触ＩＣ。
【請求項６】
請求項１又は５に記載の非接触ＩＣであって、
計時手段の測定結果に基づいて、ある時点から第２設定時間が経過した後に、長期記憶装置に記憶されたデータの少なくとも一部を消去する第２消去手段を備える、ことを特徴とする非接触ＩＣ。
【請求項７】
請求項１に記載の非接触ＩＣであって、
計時手段又は消去手段の動作を停止して、消去手段にデータの消去を実行させない消去停止手段を備える、ことを特徴とする非接触ＩＣ。
【請求項８】
請求項１に記載の非接触ＩＣであって、
データ移動手段により短期記憶装置に移動されたデータの少なくとも一部を、長期記憶装置にコピーするデータコピー手段、を備える、ことを特徴とする非接触ＩＣ。
【請求項９】
非接触方式により外部装置とデータの送受信を行う送受信手段と、
データの書き込み及び消去が可能に構成された短期記憶装置と、
短期記憶装置よりも長い時間に渡ってデータを保持可能であり、少なくともデータの消去が可能に構成された長期記憶装置と、
経過時間を測定する計時手段と、
を備えた非接触ＩＣが実行する方法であって、
長期記憶装置に保持された少なくとも一部のデータを短期記憶装置に移動するデータ移動ステップと、
計時手段の測定結果に基づいて、データ移動ステップ実行後に設定時間が経過した場合に、データ移動ステップにより移動されたデータの少なくとも一部を消去する消去ステップと、
を含む、ことを特徴とする方法。
【発明の詳細な説明】
【技術分野】
【０００１】
本発明は、非接触方式により外部装置とデータの送受信を行う非接触ＩＣについての技術、特に、非接触ＩＣに記憶されるデータを保護するための技術に関する。
【背景技術】
【０００２】
非接触ＩＣは、アンテナ及び集積回路（ＩＣ）を備え、電磁気学的原理に基づいて外部装置のデータを送受信する小型装置であり、カードに組み込まれて決済や身分証明などに用いられたり、商品に取り付けられて製造や流通の管理に用いられたりするなど、様々な分野で使用されはじめている。
【０００３】
例えば、プリンタやコピー機などの画像形成装置においては、トナーカートリッジや感光体カートリッジなどの消耗品に非接触ＩＣが取り付けられている。この場合、画像形成装置は、その内部に備えるリーダ／ライタを通じて非接触ＩＣと通信をすることで、非接触ＩＣが記憶するデータを取得し利用することができる。
【０００４】
下記特許文献１には、パスワードなどの個人情報をコンデンサ等の蓄電装置に接続されたＲＡＭに書き込んでおき、蓄電装置が放電してしまった時点でその情報が失われるように設定した非接触ＩＣについての技術が開示されている。
【０００５】
【特許文献１】特開２００３−３３７９２８号公報
【発明の開示】
【発明が解決しようとする課題】
【０００６】
例えば、上述の画像形成装置においては、消耗品を販売ルートを通じて確実に顧客の元に届けるために、出荷時に購入した顧客情報を非接触ＩＣに書き込む場合がある。しかし、多数の消耗品があるような場合、流通段階、顧客先等、リサイクル段階等で、別の消耗品と取り違えたり紛失したりして、顧客情報を適切に管理できなくなる虞がある。
【０００７】
上記特許文献１の技術では、しかしながら、顧客情報を確実に消去することはできない。一般に蓄電装置における放電時間は、コンデンサ等の部品の製造ばらつきや、周囲温度等の使用環境によって異り、ＲＡＭに記憶されたデータの消失時期が不確実になるためである。
【０００８】
また、上記特許文献１の技術では、比較的短時間でのデータ消去のみを想定しており、情報の書き込みが最初に顧客サイドで行われることを前提としている。したがって、消耗品出荷時から顧客の使用時までといった比較的長時間にわたる状況下では対応困難である。
【０００９】
本発明の目的は、記憶された機密情報等のデータを設定したタイミングで消去可能な非接触ＩＣを実現することにある。
【００１０】
本発明の別の目的は、比較的長期間にわたるデータ保持と、このデータの確実な消去とを両立させる非接触ＩＣを実現することにある。
【課題を解決するための手段】
【００１１】
本発明の非接触ＩＣは、非接触方式により外部装置とデータの送受信を行う機能を備えた非接触ＩＣであって、データの書き込み及び消去が可能に構成された短期記憶装置と、短期記憶装置よりも長い時間に渡ってデータを保持可能であり、少なくともデータの消去が可能に構成された長期記憶装置と、長期記憶装置に保持された少なくとも一部のデータを短期記憶装置に移動するデータ移動手段と、経過時間を測定する計時手段と、計時手段の測定結果に基づいて、ある時点から設定時間が経過した後に、データ移動手段により移動されたデータの少なくとも一部を消去する消去手段と、を備える。
【００１２】
非接触ＩＣは、ＩＣ（集積回路）とアンテナを備えた小型装置であり、外部装置とアンテナを通じて送受信を行うことができる。短期記憶装置は、データを新たに書き込むことができ、また、データを消去することができるように構成されている記憶装置である。このような記憶装置の例としては、ＲＡＭ（Ｒａｎｄｏｍ  Ａｃｃｅｓｓ  Ｍｅｍｏｒｙ）を挙げることができる。また、長期記憶装置は、短期記憶装置よりも長い時間に渡ってデータを保持可能であり、少なくともデータを消去することができる装置である。この装置の例としては、フラッシュメモリのように電力供給が停止してもデータを保持可能（不揮発性）な記憶装置や、短期記憶装置よりも長い寿命をもつ電源によって駆動されるＲＡＭ等を挙げることができる。データ移動手段は、長期記憶装置が記憶するデータの少なくとも一部を短期記憶装置に移動する手段である。ここで、移動とは、短期記憶装置にコピーするだけでなく、長期記憶装置から消去することを指す。計時手段は、カウンタなどを利用して、時間の経過を測定する手段である。
【００１３】
消去手段は、データ移動手段により移動され短期記憶装置に記憶されたデータの少なくとも一部を消去する。この消去は、計時手段による時間経過の測定結果を利用し、ある時点から設定時間が経過した後に行う。設定時間は、例えば、データを残しておくことの便利さとデータを残しておくことの機密漏洩可能性とを比較考量して決めればよい。
【００１４】
この構成によれば、電源や短期記憶装置の製造ばらつきや使用環境等にかかわらず、設定したタイミングで消去対象となるデータを消去することができる。すなわち、不確実なタイミングでなされる電源からの電力供給の停止に頼るのではなく、設定時期に確実にデータ消去を行うことが可能となる。特に、消去対象となるデータを機密データとした場合には、設定時間後の機密漏洩を確実に防止できるようになる。また、この装置においては、データ移動手段を実行しないことで、長期記憶装置に記憶されたデータを長期間保存することが可能になる。
【００１５】
本発明の非接触ＩＣの一態様においては、非接触方式により取得した電力に基づいて充電され、充電された電力を使い果たすことで短期記憶装置に対する電力供給を停止する電源を備え、短期記憶装置は、この電源から供給される電力に基づいてデータを記憶し、電力供給が停止するとデータを消失する。電源は、コンデンサ等の蓄電手段を備えており、外部装置からの受信波に基づいて取得した電力を供給され充電されることで少なくとも短期記憶装置に対する電力供給源として機能する。そして、充電された電力を使い果たしてしまうと（放電してしまうと）、短期記憶装置に対する電力供給を停止する。短期記憶装置は、例えばＲＡＭのように、この電源からの電力を供給されることで機能する装置であり、電力供給が停止するとデータを消失する。なお、この場合に消去手段において設定される設定時間は、電源の電力供給可能時間（の平均的な値）よりも長くても短くてもよい。短い場合には、その時間はデータが消去される時間を意味することになり、長い場合には、その時間はデータが消去される最終時間を保証するものとなる。
【００１６】
本発明の非接触ＩＣの一態様においては、データ移動手段によるデータの移動は、非接触方式により持続的に電力の取得がなされている場合に実施される。これにより、非接触ＩＣあるいは非接触ＩＣを含む物品が、通信先との通信可能範囲に移動されたことをトリガーとして、機密情報を短期記憶装置に移動することが可能となる。なお、データ移動手段によるデータの移動のタイミングは、この他にも様々に設定可能であり、例えば、移動指令データを受信した場合に実施するように構成し、リーダ／ライタの側で機密保持動作を制御することも可能である。
【００１７】
本発明の非接触ＩＣの一態様においては、消去手段における前期ある時点は、非接触方式により持続的になされる電力の取得が停止された時点である。これにより、非接触ＩＣあるいは非接触ＩＣを含む物品が、通信先との通信可能範囲外に移動されたことをトリガーとして、機密情報の消去のカウントダウンを開始することが可能となる。データ移動手段によるデータ移動を、持続的な電力が取得が停止された時点で実施するようにしてもよい。なお、消去手段における前記ある時点の設定は、この他にも様々に設定可能であり、例えば、消去指令データを受信した時点とし、リーダ／ライタの側で機密保持動作を制御することも可能である。
【００１８】
本発明の非接触ＩＣの一態様においては、前記電源の電力供給可能時間よりも長い電力供給可能時間をもち、長期記憶装置に電力供給を行う第２電源を備え、短期記憶装置は、第２電源から供給される電力に基づいてデータを記憶し、電力供給が停止するとデータを消失する装置であり、これにより、短期記憶装置よりも長い時間に渡ってデータを保持可能とする。この構成によれば、短期記憶装置へとデータを移動するトリガーが働かない場合にも、適当な時間経過後に長期記憶装置に記憶された機密情報等のデータを消去することが可能となる。
【００１９】
本発明の非接触ＩＣの一態様においては、計時手段の測定結果に基づいて、ある時点から第２設定時間が経過した後に、長期記憶装置に記憶されたデータの少なくとも一部を消去する第２消去手段を備える。この構成によれば、長期記憶装置における消去対象データを、第２設定時間経過後に確実に消去することが可能となる。
【００２０】
本発明の非接触ＩＣの一態様においては、計時手段又は消去手段の動作を停止して、消去手段にデータの消去を実行させない消去停止手段を備える。消去停止手段は、計時手段が経過時間のカウントをはじめた後に、なんらかの理由によりデータを保護したいとの要望に応えるものである。消去停止手段は、例えば、リーダ／ライタから非接触ＩＣに対し実行命令コマンドを送信して実行させるように設定することができる。この場合、実行命令コマンドは、暗号化されたものであることが機密保持の観点からは特に望ましい。計時手段の動作を停止する場合には、カウントを一時停止するものであってもよいし、カウントそのものをやめるものであってもよい。なお、上記第２消去手段に対しても、消去停止手段と同様にして第２消去停止手段を備えることができる。
【００２１】
本発明の非接触ＩＣの一態様においては、データ移動手段により短期記憶装置に移動されたデータの少なくとも一部を、長期記憶装置にコピーするデータコピー手段、を備える。このデータコピー手段は、一端短期記憶装置に移動されたデータを再び長期に渡って保護したい場合に有効となる。なお、長期記憶装置にデータをコピーする場合、短期記憶装置におけるコピー元のデータは消去してもよいし消去しなくてもよい。データコピー手段は、例えば、リーダ／ライタから非接触ＩＣに対し実行命令コマンドを送信して実行させるように設定することができる。この場合、実行命令コマンドは、暗号化されたものであることが機密保持の観点からは特に望ましい。
【００２２】
本発明の方法は、非接触方式により外部装置とデータの送受信を行う送受信手段と、データの書き込み及び消去が可能に構成された短期記憶装置と、短期記憶装置よりも長い時間に渡ってデータを保持可能であり、少なくともデータの消去が可能に構成された長期記憶装置と、経過時間を測定する計時手段と、を備えた非接触ＩＣが実行する方法であって、長期記憶装置に保持された少なくとも一部のデータを短期記憶装置に移動するデータ移動ステップと、計時手段の測定結果に基づいて、データ移動ステップ実行後に設定時間が経過した場合に、データ移動ステップにより移動されたデータの少なくとも一部を消去する消去ステップと、を含む。
【発明を実施するための最良の形態】
【００２３】
以下に本発明の代表的な実施の形態を説明する。ここでは、プリンタに装着するトナーカートリッジに非接触ＩＣが取り付けられて利用される場合を例に挙げて説明するが、当然ながら本発明の適用範囲はこの形態にとどまるものでない。
【００２４】
図１は、本実施の形態に係る非接触ＩＣ１０の装置構成を示す概略図である。アンテナ共振回路２０は、プリンタ内部に取り付けられたリーダ／ライタと誘導結合に基づいて通信を行うために設けられており、コイルアンテナ２２と同調コンデンサ２４を備え、これらのディスクリート素子により規定される共振周波数を備えている。アンテナ共振回路２０により受信された信号の一部は、電力抽出回路３０に入力される。電力抽出回路３０は、この非接触ＩＣを駆動するための電源を取得する手段であり、抽出された電源電圧３２は各ロジックに供給される。アンテナ共振回路２０には、復調回路４０も接続されている。復調回路４０は、受信した信号から有用なデータを取り出す回路であり、取り出したデータはＣＰＵ４２に出力される。
【００２５】
ＣＰＵ４２は、非接触ＩＣ１０の通信制御や記憶するデータの管理などを行う装置である。例えば、リーダ／ライタから送られた指令を解析し、その指令に応じて、データの読み書きやリーダ／ライタへの応答などを行う。このＣＰＵ４２には、メモリローカルバス４４が接続されている。メモリローカルバス４４は、ＣＰＵ４２をフラッシュメモリ４６及びＲＡＭ４８と接続するための通信経路である。フラッシュメモリ４６は、データの書き込み及び消去が可能に構成され、電力供給が停止されている場合に記憶したデータを消失しない記憶装置である。これに対し、ＲＡＭ４８は、データの書き込み及び消去が可能に構成されているが、電力供給が停止された場合には記憶したデータを消失してしまう記憶装置である。つまり、フラッシュメモリ４６は長期記憶装置として機能し、ＲＡＭ４８は短期記憶装置として機能する。フラッシュメモリ４６やＲＡＭ４８に対するデータの読み書きは、ＣＰＵ４２の指示に基づいて行われる。
【００２６】
ＲＡＭ４８に対しては、エネルギー供給線５０が接続されている。このエネルギー供給線５０は、ＲＡＭ４８及びＲＴＣ（リアルタイムクロック）５２に対し蓄電装置５４から電力を供給する線路である。ＲＴＣ５２は、時間をカウントする計時手段をなすとともに、設定された時間が経過した場合にＲＡＭ４８に対しデータ消去信号５６を送信してＲＡＭ４８の記憶データを消去させる消去手段としても機能している。蓄電装置５４は、コンデンサを備えており、電力抽出回路３０によって抽出された電源電圧３２を受けて電気エネルギーを蓄積し、ＲＡＭ４８とＲＴＣ５２に電力を供給する。
【００２７】
次に、図２を用いて、図１に示したＲＴＣ５２の構成例について説明する。ＲＴＣ５２には、発振回路６０、カウンタ６２、比較器６４、及び、消去カウントレジスタ６６が含まれている。発振回路６０は、所定の振動数で発振する回路であり、その出力はカウンタ６２に送られる。カウンタ６２は、発振回路６０による発振回数をカウントする装置である。また、消去カウントレジスタには、ＲＡＭ４８の消去時期をカウンタ６２によるカウント数で表現した値が設定されている。比較器６４は、カウンタ６２の出力が消去カウントレジスタ６６の出力と等しくなった場合に、ＲＡＭ４８に対してデータ消去信号５６を出力する。この構成を採用することで、消去までの時間を消去カウントレジスタ６６に設定し、カウンタ６２によるカウントを開始させた場合に、所望の時間後にＲＡＭ４８のデータを消去することが可能となる。
【００２８】
続いて、図３のフローチャートを用いて、この非接触ＩＣ１０の動作を、トナーカートリッジの利用と関連づけて説明する。非接触ＩＣ１０に対しては、トナーカートリッジの出荷時に、型番や出荷先の顧客データを入力する。この顧客データは、ＣＰＵ４２の指示によりフラッシュメモリ４６に記憶される（Ｓ１０）。流通段階においては必要に応じて顧客データが読み出され、トナーカートリッジが顧客の元に配送される。
【００２９】
配送されたトナーカートリッジは、顧客のもとで開封され、プリンタに装着される（Ｓ１２）。プリンタは、トナーカートリッジが装着されるとリーダ／ライタを動作させて非接触ＩＣ１０と通信を開始する。非接触ＩＣ１０では、電力抽出回路３０によって電力抽出が開始され（Ｓ１４）、この電力に基づいて各回路が動作を開始する。そして、プリンタの側では、型番や顧客データを読み出して、画像処理調整などの設定処理が行われる。また、非接触ＩＣ１０の側では、持続的（例えば５秒以上など流通段階での読み取り時よりも長く継続する）な電力抽出の開始を検知すると、予め組み込まれたプログラムに従って、フラッシュメモリ４６に格納された顧客データをＲＡＭ４８に移動させる（Ｓ１６）。
【００３０】
トナーが使い尽くされると、トナーカートリッジはプリンタから取り外される。これにより、リーダ／ライタとの通信が終了して、電力抽出回路３０における電力抽出が停止される（Ｓ１８）。非接触ＩＣ１０においては、持続していた電力抽出の停止が検知されると、ＲＴＣ５２が設定時間のカウントダウンを開始する（Ｓ２０）。そして、設定時間になるとＲＴＣ５２からデータ消去信号５６がＲＡＭ４８に送られ、ＲＡＭ４８に移動された顧客データが消去される（Ｓ２２）。
【００３１】
この態様によれば、トナーカートリッジがプリンタに装着されるまでは、顧客データは、フラッシュメモリ４６に安定して記憶されている。そして、プリンタに装着されると記憶場所がＲＡＭ４８に変更される。これにより、トナーカートリッジを外された場合に、設定時間後に確実に顧客データが消去されるためその機密を保持することが可能となる。
【００３２】
続いて、本実施の形態の変形例を説明する。
【００３３】
図４は、この変形例に係る非接触ＩＣ７０の装置構成を示す概略図であり、図１に示した非接触ＩＣ１０と同様の構成には同一の番号を付して説明を省略する。非接触ＩＣ７０においては、非接触ＩＣ１０のＣＰＵ４２とフラッシュメモリ４６の代わりに、ＣＰＵ７２、ＲＡＭ７４及び長寿命蓄電装置７６が設けられている。
【００３４】
長寿命蓄電装置７６は、ＲＡＭ７４に対する電源として、ＲＡＭ７４に供給電力７８を出力している。この長寿命蓄電装置７６は、蓄電装置５４よりも放電までの時間が長く設定されており、例えば、蓄電装置５４よりも大容量のコンデンサを利用して作成される。ＣＰＵ７２は、長寿命蓄電装置７６に対して、放電指示信号８０を送出することができる。長寿命蓄電装置７６は放電指示信号８０を受け取ると、蓄積していた電気エネルギを放出して、ＲＡＭ７４への電力供給を停止する。これにより、ＲＡＭ７４に記憶されていたデータが消失する。ＣＰＵ７２による放電指示信号８０は、無線を通じた外部からの指示に基づいて発せられてもよいし、ある時間が経過した場合やあるトリガー信号を検知した場合に発せられるように設定されてもよい。
【００３５】
この変形例の構成を用いれば、例えば、トナーカートリッジの出荷時から所定時間が経過した場合に、顧客データを含むＲＡＭ７４に格納したデータを消去することが可能となる。なお、型番情報など機密にする必要のないデータを残したい場合には、そのデータを別途設けたフラッシュメモリ等の不揮発性の記憶装置に格納したり、そのデータのみを明示的に消去したりすることで対応すればよい。
【００３６】
次に、本実施の形態における別の変形例を説明する。
【００３７】
図５は、この変形例に係る非接触ＩＣ９０の装置構成を示す概略図であり、図１に示した非接触ＩＣ１０と同様の構成には同一の番号を付して説明を省略する。非接触ＩＣ９０においては、非接触ＩＣ１０のＣＰＵ４２とＲＴＣ５２の代わりに、ＣＰＵ９２とＲＴＣ９６が設けられている。そして、ＣＰＵ９２からＲＴＣ９６に対しては、カウンタストップレジスタ書き込み信号９８が送信される。
【００３８】
図６は、図５に示した非接触ＩＣ９０におけるＲＴＣ９６の構成を説明する図であり、図２に示したＲＴＣ５２と同一の番号を付して説明を省略する。ここでは、カウンタ６２に代わってカウンタ１００が設けられており、このカウンタ１００は、カウンタストップレジスタ１０２からカウントイネーブル信号１０４を入力することで、カウントを停止する機能を備えている。
【００３９】
続いて、非接触ＩＣ９０の動作を説明する。非接触ＩＣ９０は、基本的に図１乃至図３に説明した非接触ＩＣ１０と同様に動作する。ただし、ＣＰＵ９２からは、ＲＴＣ９６に対し、カウンタストップレジスタ書き込み信号９８を送ってＲＡＭ４８を消去するためのカウントダウンを停止させることができる。停止は、それまでのカウントをクリアするものであってもよいし、それまでのカウントを維持して次回はそのカウントから開始するものであってもよい。
【００４０】
この変形例の構成を用いれば、例えば、トナーカートリッジを一時的にプリンタから外して再度プリンタに格納するような場合に、顧客データを維持することが可能となる。カウンタストップレジスタ書き込み信号９８は、例えば、トナーカートリッジが再度格納されたことを検知したプリンタがリーダ／ライタを通じて非接触ＩＣ９０に指令信号を送りこれに基づいて発せられるよう設定されてもよいし、ＣＰＵ９２にプログラミングを行い、再格納されたことを知覚した場合に自動的に発せられるように設定されてもよい。
【００４１】
なお、トナーカートリッジが長期的に取り外される場合にも対応できるように、ＲＡＭ４８に移動されたデータを再度フラッシュメモリ４６に移動することも有効である。
【図面の簡単な説明】
【００４２】
【図１】本実施の形態に係る非接触ＩＣの装置構成を示す概略図である。
【図２】図１の非接触ＩＣにおけるＲＴＣの装置構成例を示す概略図である。
【図３】図１の非接触ＩＣの動作を示すフローチャートである。
【図４】変形例に係る非接触ＩＣの装置構成を示す概略図である。
【図５】別の変形例に係る非接触ＩＣの装置構成を示す概略図である。
【図６】図５の非接触ＩＣにおけるＲＴＣの装置構成例を示す概略図である。
【符号の説明】
【００４３】
１０，７０，９０  非接触ＩＣ、２０  アンテナ共振回路、２２  コイルアンテナ、２４  同調コンデンサ、３０  電力抽出回路、３２  電源電圧、４０  復調回路、４２  ＣＰＵ、４４  メモリローカルバス、４６  フラッシュメモリ、４８，７４  ＲＡＭ、５０  エネルギー供給線、５２，９６  ＲＴＣ、５４  蓄電装置、５６  データ消去信号、６０  発振回路、６２，１００  カウンタ、６４  比較器、６６  消去カウントレジスタ、７６  長寿命蓄電装置、７８  供給電力、８０  放電指示信号、９８  信号、１０２  カウンタストップレジスタ、１０４  カウントイネーブル信号。
【図１】
2006190210.tif 000003
【図２】
2006190210.tif 000004
【図３】
2006190210.tif 000005
【図４】
2006190210.tif 000006
【図５】
2006190210.tif 000007
【図６】
2006190210.tif 000008